(57)【要約】【課題】  魚釣用リールを片手で保持したときにスプールの制動力の調整を行う操作部に外力が加わり難く、リールを保持した状態で操作部を手指に当てた状態を回避しつつ、リールを保持した手の指で操作部による制動力の調整操作を行うことができる魚釣用リールを提供すること。【解決手段】  リール本体の側板間にスプールを回転自在に支持し、このスプールの回転を制動する制動装置５４の制動力を、側板１６ｂに配置した操作部８６を介して調整可能とした魚釣用リールは、釣糸をスプールに巻き取るハンドルに対して反対側の側板１６ｂに、この側板１６ｂの外表面から内方に凹設させた凹部９０を形成し、前記操作部８６を、前記側板１６ｂの外表面の延長面Ｓから外方に突出させることなく、この凹部９０内に配置して外部に露出させ、前記操作部８６をリールを保持した手の指ＬＴで操作可能とした。【選択図】    図５
2011010579.tif 000002
【特許請求の範囲】
【請求項１】
リール本体の側板間にスプールを回転自在に支持し、このスプールの回転を制動する制動装置の制動力を、側板に配置した操作部を介して調整可能とした魚釣用リールであって、
釣糸をスプールに巻き取るハンドルに対して反対側の側板に、この側板の外表面から内方に凹設させた凹部を形成し、
前記操作部を、前記側板の外表面の延長面から外方に突出させることなく、この凹部内に配置して外部に露出させ、
前記操作部をリール本体を保持した手の指で操作可能としたことを特徴とする魚釣用リール。
【請求項２】
前記操作部は、外周側縁部に沿って凹凸による滑り止めを形成した円形ダイヤル状の形状を有することを特徴とする請求項１に記載の魚釣用リール。
【請求項３】
前記凹部は、側板の上方かつ前方側で、前後方向に沿って延設され、この凹部内で、前記操作部の外周部および側部の一部が外部に露出するようにしたことを特徴とする請求項１又は請求項２に記載の魚釣用リール。
【発明の詳細な説明】
【技術分野】
【０００１】
本発明は、魚釣用リールに関し、特に、リール本体の側板間にスプールを回転自在に支持し、このスプールの回転を制動する制動装置の制動力を、側板に配置した操作部を介して調整可能とした魚釣用リールに関する。
【背景技術】
【０００２】
例えばキャスティング等の釣糸放出時にスプールの過回転を防止するブレーキ装置として、遠心摩擦ブレーキ装置あるいは磁気ブレーキ装置が従来から設けられている。  
例えば特許文献１や特許文献２の魚釣用リールの１対の側板の間に回転自在に支持したスプールに制動力を付与する制動装置の操作部は、ハンドルと反対側の側板の前方に設けられ、操作部の外周部を側板の外表面に対して突出するように設けて回動操作できるように構成されている。  
一方、特許文献３には、制動装置の操作部が側板に対して突出していない魚釣用リールが開示されている。この制動装置は、操作部を指で摘んで操作することで制動力を調整できる。
【先行技術文献】
【特許文献】
【０００３】
【特許文献１】実開昭６０−４１１６７号公報
【特許文献２】実開平７−５３６２号公報
【特許文献３】特開２００４−２０８６３０号公報
【発明の概要】
【発明が解決しようとする課題】
【０００４】
特許文献１や特許文献２の魚釣用リールでは、１対の側板の外表面に対して、制動装置の操作部の外周部が外側に突出しているので、魚釣用リールを握持する際の手の位置によっては操作部の外周部が掌に食い込んでしまって違和感が生じる可能性があり、握持保持性に劣る。  
また、実用時や釣場移動時に、突出している外周部に外力が加わり易く、操作部に傷が付いて回転操作性が低下したり、制動装置に支障が生じる可能性がある。  
さらに、特許文献３に開示された魚釣用リールでは、側板から突出していない操作部を操作する際に操作部を摘む必要がある。このように操作部を摘む場合、指が２本以上必要となるので、リールを保持した手の指で操作部による制動力の調整操作が行えない問題がある。
【０００５】
この発明は、このような課題を解決するためになされたもので、スプールの制動力の調整を行う操作部に外力が加わり難く、リールを保持した状態で操作部の外周部が掌に喰い込むことを回避しつつ、リール本体を保持した手の指で操作部による制動力の調整操作を行うことができる魚釣用リールを提供することを目的とする。
【課題を解決するための手段】
【０００６】
上記課題を解決するために、この発明に係る、リール本体の側板間にスプールを回転自在に支持し、このスプールの回転を制動する制動装置の制動力を、側板に配置した操作部を介して調整可能とした魚釣用リールは、釣糸をスプールに巻き取るハンドルに対して反対側の側板に、この側板の外表面から内方に凹設させた凹部を形成し、前記操作部を、前記側板の外表面の延長面から外方に突出させることなく、この凹部内に配置して外部に露出させ、前記操作部をリールを保持した手の指で操作可能としたことを特徴とする。  
前記操作部は、外周側縁部に沿って凹凸による滑り止めを形成した円形ダイヤル状の形状を有することが好ましい。  
前記凹部は、側板の上方かつ前方側で、前後方向に沿って延設され、この凹部内で、前記操作部の外周部および側部の一部が外部に露出するようにしたことが好ましい。
【発明の効果】
【０００７】
側板の凹部にスプールの制動力を調整する操作部を配置することができるので、釣場移動時や運搬時に操作部に外力が加わり難く、操作部に傷が付いたり、操作部の操作性が低下するのを防止できる。このため、制動装置に支障をきたすのを防止できる。また、操作部が凹部に配設されているので、リールを手で保持した状態で操作部が掌に喰い込むのを回避できる。そして、必要な場合にはリールを保持した手の指（例えば親指）で操作部を操作できるので、釣糸の巻取り動作からキャスティング動作までの一連の動作の中で操作部を自由に操作してスプールの制動力を調整できる。したがって、一定時間内でのキャスティングの回数をより多くすることができる。また、リールを片手で保持している際に、操作部に手指が強く当たるのを防止できるので、意図しない操作部の操作を防止できる。  
また、操作部に凹凸を有する滑り止めを形成することによって、凹凸を指に引っ掛けることができ、操作部の滑りを防止できる。  
凹部がリールの側板の上方かつ前方側で、前後方向に沿って延設され、この凹部内で、操作部の外周部および側部の一部が外部に露出するようにしたことによって、露出した操作部の一部に指を掛けることによって、容易に操作部を操作できる。
【図面の簡単な説明】
【０００８】
【図１】第１の実施の形態に係る、釣竿に魚釣用リールを取り付けた釣具を示し、左手で釣竿およびリールを保持し、右手で魚釣用リールのハンドルを操作する状態を示す概略的な上面図。
【図２】第１の実施の形態に係る魚釣用リールのうち、ハンドルが取り付けられた側と反対側から観察した状態を示し、図１中の矢印ＩＩ方向から見た概略図。
【図３】第１の実施の形態に係る魚釣用リールを示し、図２中のＩＩＩ−ＩＩＩ線に沿う概略的な部分横断面図。
【図４】第１の実施の形態に係る魚釣用リールの図３中の矢印ＩＶで示す部分の概略的な拡大図。
【図５】第１の実施の形態に係る魚釣用リールを示し、図２中のＶ−Ｖ線に沿う部分の要部を示す概略的な縦断面図。
【図６】第１の実施の形態に係る魚釣用リールを示し、左手でリールを保持しながら図５に示す操作部に左手の親指を当てて操作する状態を示す概略的な縦断面図。
【図７】第２の実施の形態に係る魚釣用リールのうち、ハンドルが取り付けられた側と反対側から観察した状態を示す概略図。
【図８】第２の実施の形態に係る魚釣用リールを示し、図７中のＶＩＩＩ−ＶＩＩＩ線に沿う概略的な部分横断面図。
【図９】第２の実施の形態に係る魚釣用リールの図８中の矢印ＩＸで示す部分の概略的な拡大図。
【図１０】第２の実施の形態に係る、釣竿に魚釣用リールを取り付けた釣具を示し、左手で釣竿およびリールを保持する状態を示す、ハンドルが取り付けられた側と反対側から観察した状態を示す概略図。
【図１１】第２の実施の形態に係る魚釣用リールを示し、左手でリールを保持しながら図１０に示す操作部に左手の親指を当てて操作する状態を示す、図１０中のＸＩ−ＸＩ線に沿う部分の要部を示す概略的な縦断面図。
【発明を実施するための形態】
【０００９】
図１から図６は、本発明の好ましい実施形態による魚釣用リール１０を示す。  
図１から図３に示すように、本実施形態の魚釣用リール１０は、両軸受型手巻きリールとして形成してある。図１に示すように、ここでは釣り人が左手ＬＨで竿８および魚釣用リール１０を保持し、右手ＲＨで魚釣用リール１０のハンドル３０を回すように形成されている場合について説明する。もちろん、左手ＬＨでハンドル３０を操作するようにハンドル３０の配置が逆であっても良い。
【００１０】
図３に示すように、魚釣用リール１０のリール本体１２は、図示しない連結部材等で一体化される左右一対のフレーム１４ａ，１４ｂのそれぞれの外側に、例えばビス、螺合あるいは嵌合等の手段により、側板１６ａ，１６ｂを取り付けて、全体的に剛性構造のハウジングとして形成され、リール取付脚部１８を介して釣竿８に固定される。
【００１１】
釣糸が巻回されるスプール２０は、左右のフレーム１４ａ，１４ｂ間に回転自在に支持され、右側板１６ａは、スプール２０を回転駆動させる巻取り駆動部２２を支持し、この右側板１６ａと右フレーム１４ａとの間に形成された空間内に、この巻取り駆動部２２を形成する駆動力伝達系やドラグ系等の各種機構が収容されている。なお、左右は図３中における左右方向を示し、実釣中における左右の方向を示すものではない。
【００１２】
このリール本体１２のフレーム１４ａ，１４ｂ間には、スプール２０を装着してこのスプール２０と共に回転するスプール軸２６の両端部が、例えば図示のようなボール軸受２８ａ，２８ｂを介して回転自在に支持されている。このスプール軸２６の一端側には、ハンドル３０の回転を軸受３２ａ，３２ｂに支持されたハンドル軸３４、ハンドル軸３４に回り止め嵌合されたドラグ機構４４を経由してドライブギヤ３６を介して回転駆動されるピニオンギヤ３８がこのスプール軸２６と同軸状に配置されている。  
なお、ハンドル軸３４には、公知のスタードラグ（ドラグ調整ノブ）４２が配設され、ドライブギヤ３６には公知のドラグ機構４４が配設されているが、これらについては説明を省略する。
【００１３】
このピニオンギヤ３８は、図示しない公知のクラッチ（伝達機構）４８を介して、側板１６ａ，１６ｂ間に配置したクラッチレバー５０と連動しており、このクラッチレバー５０を下方に押圧作動することにより、クラッチ４８がＯＦＦとなり軸方向に沿って図３中の右側に移動することができる。例えば、クラッチレバー５０の操作により、図１に示すスプール軸２６の右端部にピニオンギヤ３８が嵌合した位置すなわち巻取状態と、スプール軸２６の右端部からピニオンギヤ３８を分離した状態（スプールフリー状態）とすることができる。又、ピニオンギヤ３８が分離した状態で、ハンドル３０を回転させると、図示しない公知の復帰機構を介して、ピニオンギヤ３８がスプール軸２６の右端部に嵌合して元の状態（巻取状態）に復帰し、スプール軸２６と一体化されているスプール２０が、ピニオンギヤ３８と共に一体的に回転する。
【００１４】
このスプール２０は、軸方向の両側に形成された一対の鍔部２０ａ間に位置する円筒状の胴部２０ｂを有し、胴部２０ｂの内周側に位置する中央壁部２０ｃを介してスプール軸２６に一体的に装着され、一対の鍔部２０ａと釣糸巻回胴部２０ｂの外周面とで形成される環状溝内に釣糸（図示しない）が巻回される。この環状溝の底部を形成する胴部２０ｂ上に釣糸（図示しない）を均等に巻回するため、ハンドル３０の釣糸巻取り回転に連動して、一対の左右のフレーム１４ａ，１４ｂ間を往復動する公知のレベルワインド機構（図示せず）が配置されている。このレベルワインド機構は、右側板１６ａ内の駆動部と連動する係合子を左右に移動することにより、ハンドル３０の回転操作にともなって、釣糸をスプール２０の胴部２０ｂ上に均等に巻き取ることができる。
【００１５】
そして、ハンドル３０の反対側に位置する一側には、スプール２０の過回転を防止する磁気制動装置５４を配置してある。  
この磁気制動装置５４は、スプール２０と一体回転するように取り付けた導電体５６を備える。本実施形態の導電体５６は、スプール軸２６に強固に固定されるボス部５６ａと、このボス部５６ａから半径方向外方に延びるディスク状部５６ｂと、このディスク状部５６ｂの外周縁部からハンドル３０と反対側に延びる円筒状部５６ｃとを有し、例えばアルミニウムあるいは銅等の非磁性の導電性材料で形成される。  
円筒状部５６ｃは、後述する内側リング磁石６８および外側リング磁石７０とほぼ等しい軸方向寸法を有し、その全体がこれらの磁石６８，７０間の環状間隙７２内に挿入されている。このため、円筒状部５６ｃは、これらのリング磁石６８，７０の側面側から漏れ出る磁束の範囲内に配置されている。これらの円筒状の導電体５６は、非磁性の導電性材料で形成されているので、これらの磁束内を移動するときに、渦電流が誘導される。
【００１６】
なお、この導電体５６は、円筒状部５６ｃがこのような非磁性の導電性材料で形成されるものであれば、その全体を同一材料で形成することは必ずしも必要なく、例えばボス部５６ａおよびディスク状部５６ｂをより軽量の樹脂材料等で形成してもよい。また、ボス部５６ａをスプール軸２６の端部の小径部に隣接させて固定することにより、スプール軸２６を支える軸受２８ｂでボス部５６ａの軸方向外方への移動を抑制し、導電体５６がスプール軸２６から脱落するのを防止することも可能である。
【００１７】
一方、この導電体５６に対向する左フレーム１４ｂの外側には、左側板１６ｂが例えば複数本のねじで強固に固定されている。  
左側板１６ｂはボール軸受２８ｂを介してスプール軸２６の端部を回転自在に支える受部材５８を一体的に有する。この受部材５８は、スプール軸２６および軸受２８ｂを収容する中央開口６０と同心状に、スプール軸２６側から小径部６２ａと大径部６２ｂとを順に形成した段付き構造の支持台部６２を有する。小径部６２ａの外周部には、磁石ホルダ６６を収容する環状溝６４を形成してある。磁石ホルダ６６は環状溝６４に対して摺動可能である。この磁石ホルダ６６の外周には、磁場を径方向に配向させるＮ極とＳ極とを周方向に沿って複数対を交互に逆向きに着磁させた内側リング磁石６８を固定してある。  
左フレーム１４ｂには、内側リング磁石６８に対向した状態で、内側リング磁石６８に対して逆方向に着磁された外側リング磁石７０を固定してある。
【００１８】
これらの内側リング磁石６８と外側リング磁石７０との間に形成される環状間隙７２内には、上述の導電体５６の円筒状部５６ｃが配置されている。このため、内側リング磁石６８と外側リング磁石７０との間に形成される環状間隙７２に磁界が形成される。
【００１９】
なお、内側リング磁石６８は磁石ホルダ６６が環状溝６４に対して摺動することにより外側リング磁石７０に対して回動可能である。このため、磁界を無段階で変化させることができる。
【００２０】
そして、導電体５６の円筒状部５６ｃは、内側リング磁石６８の外径よりも大きく、かつ外側リング磁石７０の内径よりも小さい円筒状に形成してあり、磁石６８，７０の環状間隙７２に形成される磁界内に配設されている。
【００２１】
磁石ホルダ６６は、左側板１６ｂの受部材５８の大径部６２ｂを貫通して左側板１６ｂの後述する凹部９０の前側に向かって延出された延出部７６を介して、連動歯車７８が配設されている。図２に示すように、連動歯車７８は磁石ホルダ６６と同心状の円弧状の部材の外周面に複数の歯が形成されている。
【００２２】
図４に示すように、左フレーム１４ｂには、支持部８２を介してスプール制動力調整部８０が配設されている。支持部８２は、左フレーム１４ｂに対して固定されている。  
スプール制動力調整部８０は、支持部８２および左フレーム１４ｂに対して螺合固定可能な螺合固定部８４と、螺合固定部８４の回りを回動可能な回動操作部８６とを備えている。回動操作部８６は螺合固定部８４によって支持部８２に対して適度に押圧され、適当な力を加えないと回動操作部８６が回動しないようになっている。
【００２３】
回動操作部８６は外周部８６ｃの縁部８６ｄに少なくとも凹凸による滑り止めＫが形成された例えば円形ダイヤル形状を有する。このような円形ダイヤル形状を有すると、図６に示す親指ＬＴの腹部が外周部８６ｃと側面８６ｅの２面に跨る縁部８６ｄへの押圧となって接触面積を大きく取れ、かつ、親指ＬＴへの圧力を広範囲に分散できる。このため、左手ＬＨの親指ＬＴが痛くなり難く、回動操作部８６の操作もし易い。また、親指ＬＴを回動操作部８６に押し当てた際に追う凸部に指の腹が喰い込むので、操作の際の滑りを防止できる。  
なお、凹凸による滑り止めＫは回動操作部８６の外周部８６ｃの全体や側面８６ｅの全体に形成しても良い。また、回動操作部８６の径方向内方の側面８６ｅに目盛り８６ｆや、回動操作部８６に対向する保護部材９２に指標部９２ａ等が形成されている。
【００２４】
図４から図６に示すように、回動操作部８６の縁部８６ｄの近傍の側面８６ｅには、例えば環状に溝８６ａが形成されている。このため、指に水分が付着している場合に、その水分を溝８６ａに逃がすことができ、回動操作部８６を滑り難くすることができる。特に、凹部９０内に親指ＬＴを押し付けるので、この回動操作部８６への親指ＬＴへの押し付け力は小さくなり、これらの滑り防止は効果的である。  
また、回動操作部８６には、支持部８２に対して当接するときにクリック音を発生するリーフスプリング８８が配設されている。このため、回動操作部８６を操作すると、クリック音が発生する。  
そして、スプール制動力調整部８０の回動操作部８６の外周には回動操作部側歯車８６ｂが形成され、これが連動歯車７８に噛み合わせられている。このため、回動操作部８６を左フレーム１４ｂに対して例えば図２中のＰ方向に回動させると、回動操作部側歯車８６ｂを介して連動歯車７８をＱ方向に回動させる。そして、連動歯車７８に連結された延出部７６を介して磁石ホルダ６６がＲ方向に回動する。このため、内側リング磁石６８に対する外側リング磁石７０の相対位置が変化する。これにより、導電体５６の円筒状部５６ｃを配置した内側リング磁石６８と外側リング磁石７０との間に形成される環状間隙７２の磁界の強さを、例えば制動力を全く形成しないゼロ制動の状態から、最大制動力を形成する全制動の状態まで無段階的に変化させることができる。
【００２５】
なお、この実施の形態では、内側リング磁石６８は、左フレーム１４ｂに装着したスプール制動力調整部８０（図４参照）を回転操作することにより、スプール軸２６の軸線を中心として回動し、導電体５６に作用する磁力を調節可能に構成されている。これとは逆に、外側リング磁石７０を移動するように構成することも可能である。
【００２６】
図３および図４に示すように、左側板１６ｂは、左フレーム１４ｂを覆うとともに、左フレーム１４ｂから左方に突出したスプール制動力調整部８０を覆う空間を有するカバーとして形成されている。この左側板１６ｂには、スプール制動力調整部８０の回動操作部８６の一部を操作可能なように左手ＬＨの親指ＬＴを押し当てるための凹部（開口部）９０が形成されている。
【００２７】
図２に示すように、左側板１６ｂの凹部９０は、左側板１６ｂの上方かつ前方側で、上下方向よりも前後方向に長く形成されている。ここでは、凹部９０は外観が略平行四辺形に形成されている。左フレーム１４ｂに配設された回動操作部８６は凹部９０を通してその外周部および側部の一部（ここでは回動操作部８６の上側）が視認できる状態にある。そして、回動操作部８６は、図５および図６中に破線で示す左側板１６ｂの外表面の延長面Ｓから外方に突出させることなく、この凹部９０の内側に配置した状態で外部に露出させている。  
図５および図６中に破線で示す左側板１６ｂの外表面の延長面Ｓから回動操作部８６までの距離は、例えば０ｍｍから５ｍｍ程度で、０．５ｍｍから３．０ｍｍ程度であればなお好ましい。すなわち、回動操作部８６は左側板１６ｂの外表面に対して突出しないように露出されている。
【００２８】
なお、延長面Ｓの形状は、左側板１６ｂの凹部９０の周囲の形状によって変わる。凹部９０の周囲がこの実施の形態のように曲面の場合、延長面Ｓも曲面であり、凹部９０の周囲が平面の場合（第２の実施の形態の図９および図１１参照）、延長面Ｓも平面である。すなわち、図５および図６中、凹部９０の周囲が曲面であるから、延長面Ｓを示す破線は曲線である。
【００２９】
そして、左側板１６ｂの外表面の延長面Ｓから回動操作部８６が外方に突出しないことの判断は、リール取付脚部１８を水平に配置したときに、凹部９０の水平方向および上下方向の短寸法方向で判断するものとする。この実施の形態では図２に示す凹部９０の上下方向が前後方向に比べて短寸法方向であるため、延長面Ｓ上に図示しない基準線が凹部９０の上下方向に採られ、その基準線に回動操作部８６が触れているか否かで突出しているか否かが判断される。なお、基準線は、凹部９０の周囲が曲面であるからこの実施の形態では曲線である。また、この曲面は凹部９０の周囲の曲率面が延長した形で定義付けられる。
【００３０】
図２、図５および図６に示すように、左側板１６ｂの凹部９０の縁部には、左手ＬＨの親指ＬＴを保護したり、左側板１６ｂの凹部９０から左フレーム１４ｂとの間にゴミが浸入するのを防止するため、例えば環状の保護部材９２が固定されている。この保護部材９２は硬度が低く、摩擦係数が小さい材料としてＰＴＦＥ、ナイロン、ＡＢＳ樹脂、アセタール樹脂（ＰＯＭ）などの樹脂材が用いられることが好ましい。  
凹部９０の下側の縁部に配設された保護部材９２は、親指ＬＴを置く部分として凹部９０の下側縁部から外部に突出した状態に固定されている。凹部９０の上側の縁部に配設された保護部材９２は、ゴミの侵入を防止するように左側板１６ｂの内周面から回動操作部８６に向かって延出されている。  
図６に示すように保護部材９２の下側に親指ＬＴを押し当てると、親指ＬＴは下側に向けた力を掛けることとなる。このとき、親指ＬＴが保護部材９２に強く擦れるので、親指ＬＴに負担を掛けるのを防止するため、Ｒ形状に丸められている。この保護部材９２は、親指ＬＴが強く擦れるため、未塗装、未メッキ仕上げとすることが好ましい。
【００３１】
そして、釣り人はリール１０を左手ＬＨで保持した状態で左側板１６ｂの凹部９０を通して回動操作部８６の上側部分に親指ＬＴを押し当てることができる。このため、上側部分に押し当てた親指ＬＴを凹部９０の保護部材９２に沿って前後方向に移動させると回動操作部８６を回動操作可能である。そして、スプール２０を回転させると、導電体５６には内側リング磁石６８および外側リング磁石７０による磁界の影響で渦電流が発生し、スプール２０の回転を抑制する。
【００３２】
このリール１０をリール取付脚部１８を介して釣竿８に取り付けた釣り具を用いて魚釣りを実際に行う場合の一連の動作について簡単に説明する。（１）ハンドル３０を操作して釣糸を巻き取るとともに、左手でリール１０を保持しつつ親指ＬＴで回動操作部８６を操作し、次キャスティング時の調整を行う。（２）釣糸の巻取りを完了する。（３）右手ＲＨで釣竿８とリール１０を持つ。（４）このように持った状態でキャスティングする。
【００３３】
すなわち、この実施の形態に係る釣り具を用いると、釣竿８を操作しながら、又は、リール１０のハンドル３０を操作しながら親指一本でスプール２０の制動調整を行うことができる。したがって、右手ＲＨで釣竿８とリール１０を持った後に左手ＬＨで回動操作部８６を調整する（スプール２０の制動調整を行う）手間を省くことができる。このため、一連の動作のサイクルを短縮でき、一定時間内での投入回数を多くすることができるので、魚釣りのチャンスを逃し難い。そして、回動操作部８６を操作するのに釣竿８を持ち替えたりする手間がないので、魚釣りをしながら次の投入プランに合わせてスプール２０の制動力を調整できる。
【００３４】
左側板１６ｂの凹部９０にスプール２０の制動力を調整するスプール制動力調整部８０を配置することができ、かつ、回動操作部８６の外周部および側部の一部のみ凹部９０によって露出された状態にあるので、意図せず回動操作部８６を操作してしまうのを防止できる。また、螺合固定部８４および回動操作部８６に外力が加わり難く、螺合固定部８４および回動操作部８６に傷が付いたり、回動操作部８６の操作性が低下するのを防止でき、磁気制動装置５４に支障をきたすのを防止できる。また、回動操作部８６が凹部９０内に配設されているので、リール１０を左手ＬＨで保持した状態で回動操作部８６が掌に喰い込むことがなく、握持保持性が良く、必要な場合に親指ＬＴを動かして回動操作部８６の一部に親指ＬＴを掛けることによって、容易に回動操作部８６を操作できる。また、手指が回動操作部８６に強く当たることによる誤操作も発生し難い。
【００３５】
また、回動操作部８６に凹凸を有する滑り止めを形成することによって、回動操作部８６の凹凸を親指ＬＴに引っ掛けることができ、回動操作部８６を操作しようとする際の滑りを防止できる。また、回動操作部８６に溝８６ａが形成されていることによって、操作時の水分を溝８６ａ内に入れることができる。このため、回動操作部８６に対する親指ＬＴの滑りをより確実に防止できる。特に、凹部９０内に親指ＬＴを押し付けるので、この回動操作部８６への親指ＬＴからの押し付け力は小さくなり、これらの滑り防止は効果的である。
【００３６】
次に、第２の実施の形態について図７から図１１を用いて説明する。この実施の形態は第１の実施の形態の変形例であって、第１の実施の形態で説明した部材と同一の部材又は同一の機能を有する部材には同一の符号を付し、詳しい説明を省略する。
【００３７】
図７に示すように、この実施の形態ではスプール２０の制動力の調整を行う回動操作部１８６がリング磁石６８，７０と同心状に配設された型式の魚釣用リール１０について説明する。
【００３８】
図８および図９に示すように、左フレーム１４ｂの外側には、例えばビス、螺合あるいは嵌合等の手段により、受部材１５８と、左側板１１６ｂとが取り付けられている。この実施の形態では第１の実施の形態とは異なり、左側板１１６ｂとは別部材の受部材１５８を有する。そして、左側板１１６ｂは、左フレーム１４ｂとの間に空間を有し、その空間内に受部材１５８およびスプール制動力調整部１８０が配設されている。
【００３９】
受部材１５８は、スプール軸２６および軸受２８ｂを収容する中央開口１６０と同心状に、スプール軸２６側から小径部１６２ａと大径部１６２ｂとを順に形成した支持台部１６２を有する。  
小径部１６２ａの外周部には、磁石ホルダ１６６を収容する環状溝１６４を形成してある。磁石ホルダ１６６は環状溝１６４に対して摺動可能である。この磁石ホルダ１６６の外周には、第１の実施の形態で説明した内側リング磁石６８を固定してある。左フレーム１４ｂには、内側リング磁石６８に対向した外側リング磁石７０が固定されている。
【００４０】
なお、内側リング磁石６８は磁石ホルダ１６６が環状溝１６４に対して摺動することにより外側リング磁石７０に対して回動可能である。このため、磁石ホルダ１６６を支持台部１６２の小径部１６２ａに対して摺動させることにより磁界を無段階で変化させることができる。
【００４１】
図９に示すように、受部材１５８は、リール１０の前側で左フレーム１４ｂに対して遠位側（左側板１１６ｂ側）に延びる腕部１６３を有する。この腕部１６３は、左フレーム１４ｂおよび左側板１１６ｂとの間にスプール制動力調整部１８０を収容する凹部１９０を区画する。すなわち、腕部１６３は、図１０および図１１に示す回動操作部１８６の動作範囲を規定している。
【００４２】
受部材１５８と左フレーム１４ｂとの間には、磁石ホルダ１６６から延出された延出部１７６が配設されている。この延出部１７６の前側には、スプール制動力調整部１８０を支持する支持部１７７が形成されている。
【００４３】
スプール制動力調整部１８０は支持部１７７に対して螺合固定可能な螺合固定部（固定ネジ）１８４と、螺合固定部１８４により固定された回動操作部１８６とを備えている。すなわち、支持部１７７には、螺合固定部１８４を介して回動操作部１８６が配設されている。
【００４４】
図７および図１０に示すように、左側板１１６ｂの凹部１９０は、左側板１１６ｂの上方かつ前方側で、上下方向に長く形成されている。回動操作部１８６は凹凸による滑り止めが形成された突起部１８６ａを有し、この突起部１８６ａが図９および図１１中に破線で示す左側板１１６ｂの外表面の延長面Ｓに対して外方に突出させることなく、この凹部１９０内側に配置した状態で外部に露出している。  
図９および図１１中に破線で示す左側板１１６ｂの外表面の延長面Ｓから回動操作部１８６の突起部１８６ａまでの距離は、例えば０ｍｍから５ｍｍ程度で、０．５ｍｍから３．０ｍｍ程度であればなお好ましい。すなわち、回動操作部１８６は左側板１６ｂの外表面に対して突出しないように露出されている。
【００４５】
なお、図９および図１１中、凹部１９０の周囲が平面であるから、延長面Ｓを示す破線は直線である。そして、左側板１１６ｂの外表面の延長面Ｓから回動操作部１８６が外方に突出しないことの判断は、リール取付脚部１８を水平に配置したときに、凹部１９０の水平方向および上下方向の短寸法方向で判断する。この実施の形態では図７に示す凹部１９０の前後方向が上下方向に比べて短寸法方向であるため、延長面Ｓ上に図示しない基準線を凹部１９０の前後方向に採られ、その基準線に回動操作部１８６が触れているか否かで突出しているか否かが判断される。なお、基準線は、凹部１９０の周囲が平面であるからこの実施の形態では直線である。
【００４６】
そして、スプール制動力調整部１８０の回動操作部１８６には支持部１７７が連結されている。このため、回動操作部１８６を左フレーム１４ｂに対して例えば図７中のＰ方向に回動させると、支持部１７７は、左フレーム１４ｂの押圧受部１５ａ，１５ｂでその押圧力を受けて延出部１７６をＱ方向に回動させるので、磁石ホルダ１６６（内側リング磁石６８）がＲ方向に回動する。このため、内側リング磁石６８に対する外側リング磁石７０の相対位置が変化する。これにより、導電体５６の円筒状部５６ｃを配置した内側リング磁石６８と外側リング磁石７０との間に形成される環状間隙７２の磁界の強さを、例えば制動力を全く形成しないゼロ制動の状態から、最大制動力を形成する全制動の状態まで無段階的に変化させることができる。
【００４７】
なお、凹部１９０の縁部１９０ａはこの実施の形態では斜面として形成され、左手ＬＨの親指ＬＴを縁部１９０ａに当てると回動操作部１８６の突起部１８６ａに簡単に触れることができるように形成されている。
【００４８】
そして、釣り人はリール１０を左手ＬＨで保持した状態で左側板１１６ｂの凹部１９０を通して回動操作部１８６の突起部１８６ａに親指ＬＴを押し当てることができる。このため、押し当てた親指ＬＴで回動操作部１８６の突起部１８６ａを回動操作可能である。そして、スプール２０を回転させると、導電体５６には内側リング磁石６８および外側リング磁石７０による磁界の影響で渦電流が発生し、スプール２０の回転を抑制する。
【００４９】
この実施の形態によれば、第１の実施の形態で説明したように、釣竿８を操作しながら、又は、リール１０のハンドル３０を操作しながら親指一本でスプール２０の制動調整を行うことができる。したがって、右手ＲＨで釣竿８とリール１０を持った後に左手ＬＨで回動操作部８６を調整する（スプール２０の制動調整を行う）手間を省くことができる。
【００５０】
また、左側板１１６ｂの凹部９０にスプール２０の制動力を調整する回動操作部１８６を配置することができ、かつ、回動操作部１８６の一部（突起部１８６ａ）のみ凹部１９０によって露出された状態にあるので、意図せず回動操作部１８６を操作してしまうのを防止できる。また、突起部１８６ａが凹部１９０に対して突出していないので、回動操作部１８６に外力が加わり難く、回動操作部１８６に傷が付いたり、回動操作部１８６の操作性が低下するのを防止でき、磁気制動装置５４に支障をきたすのを防止できる。また、回動操作部１８６が凹部１９０内に配設されているので、リール１０を左手ＬＨで保持した状態で回動操作部１８６が掌に喰い込むことがなく、握持保持性が良く、必要な場合に親指ＬＴを動かして回動操作部１８６の一部（突起部１８６ａ）に親指ＬＴを掛けることによって、容易に回動操作部１８６を操作できる。また、手指が回動操作部１８６に強く当たることによる誤操作も発生し難い。
【００５１】
また、回動操作部１８６の突起部１８６ａに凹凸を有する滑り止めを形成することによって、突起部１８６ａの凹凸を親指ＬＴに引っ掛けることができ、突起部１８６ａを操作しようとする際の滑りを防止できる。
【００５２】
これまで、いくつかの実施の形態について図面を参照しながら具体的に説明したが、この発明は、上述した実施の形態に限定されるものではなく、その要旨を逸脱しない範囲で行なわれるすべての実施を含む
【符号の説明】
【００５３】
Ｓ…延長面、１６ｂ…左側板、２６…スプール軸、２８ａ，２８ｂ…ボール軸受、５４…磁気制動装置、５６…導電体、５６ａ…ボス部、５６ｂ…ディスク状部、５６ｃ…円筒状部、５８…受部材、６０…中央開口、６２ａ…小径部、６２ｂ…大径部、６２…支持台部、６４…環状溝、６６…磁石ホルダ、６８…内側リング磁石、７０…外側リング磁石、７２…環状間隙、７６…延出部、７８…連動歯車、８０…スプール制動力調整部、８２…支持部、８４…螺合固定部、８６…回動操作部、８６ａ…溝、８６ｂ…回動操作部側歯車、８８…リーフスプリング、９０…凹部、９２…保護部材。
【図１】
2011010579.tif 000003
【図２】
2011010579.tif 000004
【図３】
2011010579.tif 000005
【図４】
2011010579.tif 000006
【図５】
2011010579.tif 000007
【図６】
2011010579.tif 000008
【図７】
2011010579.tif 000009
【図８】
2011010579.tif 000010
【図９】
2011010579.tif 000011
【図１０】
2011010579.tif 000012
【図１１】
2011010579.tif 000013
【手続補正書】
【提出日】平成21年7月13日(2009.7.13)
【手続補正１】
【補正対象書類名】明細書
【補正対象項目名】００２３
【補正方法】変更
【補正の内容】
【００２３】
回動操作部８６は外周部８６ｃの縁部８６ｄに少なくとも凹凸による滑り止めＫが形成された例えば円形ダイヤル形状を有する。このような円形ダイヤル形状を有すると、図６に示す親指ＬＴの腹部が外周部８６ｃと側面８６ｅの２面に跨る縁部８６ｄへの押圧となって接触面積を大きく取れ、かつ、親指ＬＴへの圧力を広範囲に分散できる。このため、左手ＬＨの親指ＬＴが痛くなり難く、回動操作部８６の操作もし易い。また、親指ＬＴを回動操作部８６に押し当てた際に凹凸部に指の腹が喰い込むので、操作の際の滑りを防止できる。  
なお、凹凸による滑り止めＫは回動操作部８６の外周部８６ｃの全体や側面８６ｅの全体に形成しても良い。また、回動操作部８６の径方向内方の側面８６ｅに目盛り８６ｆや、回動操作部８６に対向する保護部材９２に指標部９２ａ等が形成されている。
【手続補正２】
【補正対象書類名】図面
【補正対象項目名】図５
【補正方法】変更
【補正の内容】
【図５】
2011010579.tif 000014
【手続補正３】
【補正対象書類名】図面
【補正対象項目名】図６
【補正方法】変更
【補正の内容】
【図６】
2011010579.tif 000015